(57)【特許請求の範囲】
【請求項１】
上体矯正部（１）と、踊り手（１０）の右手又は左手をパートナーと組する場合を想定した規定の位置（Ａ）に保持し得るように前記上体矯正部（１）に備わるハンド保持部（３）とから構成し、
前記上体矯正部（１）は、踊り手（１０）の鳩尾部分に当接するリング状部位（２）と、該リング状部位（２）から下方に垂下する支持板（５）とを備え、
前記支持板（５）の下端部は、踊り手（１０）の正面側に支持手段（６,１３）を介して保持されており、前記リング状部位（２）は、前記ハンド保持部（３）により保持されている手以外の踊り手（１０）の手をパートナーと組する場合を想定した規定の背面位置（Ｇ）に添えることが可能な奥行きを有していることを特徴とする社交ダンス用フォーム矯正具。
【請求項２】
前記ハンド保持部（３）は、前記上体矯正部（１）において取付手段を介して着脱自在に構成してあることを特徴とする請求項１記載の社交ダンス用フォーム矯正具。
【請求項３】
前記上体矯正部（１）に、踊り手（１０）の頭部（１２）の位置を上体（１１）姿勢に合わせて直立に保持し得るヘッド保持部（８）を備えたこと特徴とする請求項１又は２記載の社交ダンス用フォーム矯正具。
【請求項４】
請求項１又は２、３記載の上体矯正部（１）は、パートナー（１５）の上体（１６）を社交ダンスを踊る際の規定の位置に保持するために背面側部分（１８）が嵌合手段（９,１７）により着脱可能に形成してあることを特徴とする社交ダンス用フォーム矯正具。
【請求項５】
前記上体矯正部（１）には、踊り手（１０）の左右の上腕部
（２１，２２）をパートナーと組する場合を想定した規定の位置に保持することが可能な上腕部保持手段（１９，２０）が設けてあることを特徴とする請求項１又は２、３、４記載の社交ダンス用フォーム矯正具。
【発明の詳細な説明】
【０００１】
【発明の属する技術分野】
本発明は、社交ダンスを行う際の適切な姿勢を習得することを目的とする社交ダンス用フォーム矯正具に関するものである。
【０００２】
【従来の技術】
従来のこの種の社交ダンス用フォーム矯正具（以下、矯正具と記す。）は、例えば、踊り手の左右の腕に間隔を保つアーム状の治具を取付けて、社交ダンスの基本姿勢における腕の位置を習得するものや、あるいは、踊り手の背中に背板と横棒を組み合わせた十字状の治具を装着し、社交ダンスを行う際の直立姿勢を保つものなどがあった。
【０００３】
しかしながら、上記のような矯正具は、どれもが踊り手の姿勢を部分的に矯正するに留まるものであり、このことから、踊り手の基本姿勢をトータルに習得するためのコンセプトに基づくものではなく、社交ダンスを行う際の適切な姿勢を効率良く習得することができない問題点があった。
【０００４】
本発明は、社交ダンスを行う際の正しい姿勢をトータルに効率良く習得できる社交ダンス用フォーム矯正具を提供することにある。
【０００５】
【課題を解決するための手段】
上記目的を達成するために、本発明のうち請求項１記載の発明は、上体矯正部と、踊り手の右手又は左手をパートナーと組する場合を想定した規定の位置に保持し得るように前記上体矯正部に備わるハンド保持部とから構成し、前記上体矯正部は、踊り手の鳩尾部分に当接するリング状部位と、該リング状部位から下方に垂下する支持板とを備え、前記支持板の下端部は、踊り手の正面側に支持手段を介して保持されており、前記リング状部位は、前記ハンド保持部により保持されている手以外の踊り手の手をパートナーと組する場合を想定した規定の背面位置に添えることが可能な奥行きを有していることを特徴とする。
【０００６】
ここで支持手段とは、踊り手の上体正面側に本発明の矯正具をしっかりと保持できる技術的手段のすべてを含む概念である。また、パートナーと組する場合を想定した規定の位置とは、踊り手が実際にパートナーと組んで社交ダンスを行う場合の前記踊り手がとる正しい基本姿勢時の両手の位置を意味するものであり、さらに、右手又は左手とあるのは、男性と女性とではダンスを行う場合の手の位置が逆になるためである。また上体矯正部が奥行きを有するとは、この上体矯正部がパートナーの胴部に相当する厚みを有する形態であれば特に限定するものではない。さらにハンド保持部とは、上記のように踊り手の一方の手をパートナーと踊る場合の規定の位置に保持できればよいので、具体的には、パートナーの腕のようにアーム状に形成したものなどが挙げられる。また、本矯正具を適用できる社交ダンスの踊りの種類は特に限定するものではなく、モダン種目全般において使用することが可能である。
【０００７】
このように形成すると、本発明の矯正具を踊り手の上体の正面側に支持手段を介して装着した場合に、前記矯正具のうち、上体矯正部が踊り手の上体正面側に当接して該踊り手の上体を垂直な姿勢を保ち、さらに、前記上体矯正部に備わるハンド保持部によって、踊り手の一方の手が実際にパートナーと組んで踊る場合と同一の位置に保持される。しかも踊り手の他方の手は、奥行きを有する上体矯正部の背面位置に添えることで、実際にパートナーと組んで踊る場合と同一の位置に保持されるので、これにより、踊り手が正しい上体姿勢を保ちながら、実際にパートナーと踊っている状態に近いかたちで社交ダンスのフォームを習得することが可能となる。
【０００８】
また、ハンド保持部は上体矯正部に固着してあってもよいが、請求項２記載の発明のように、前記ハンド保持部は、前記上体矯正部において取付手段を介して着脱自在に構成しておけば、社交ダンスのフォームの変更や、あるいは踊り手が男女どちらであっても対応する形態のものを適宜取付け可能になるとともに、本矯正具の持ち運びの際においても、前記ハンド保持部を上体矯正部から取り外してバックなどの中にコンパクトに収納することができる。
ここで取付手段とは、ハンド保持部を上体矯正部において着脱が可能なすべての技術的手段を含んだ概念である。
【０００９】
さらに、本発明のうち請求項３記載の発明のように、前記上体保持具に、踊り手の頭部の位置を上体姿勢に合わせて直立に保持し得るヘッド保持部を備えておけば、踊り手の頭部を社交ダンスを踊る姿勢に望ましい直立した位置に保持することが可能となる。
ここでヘッド保持部とは、踊り手の頭部を保持した際に、例えば、前記頭部の位置が前にうな垂れた上体になったり、あるいは後方にのけ反った上体になることを防止できる手段であれば特に限定するものではない。
【００１０】
また、本発明のうち請求項４記載の発明のように、前記上体矯正部において、パートナーの上体を社交ダンスを踊る際の規定の位置に保持するために背面側部分が嵌合手段により着脱可能に形成してあれば、前記背面側部分を取り外すことによって、本矯正具を使用したまま踊り手がパートナーと実際に組んで踊ることが可能となり、これにより、踊り手及びパートナーが社交ダンスの正しいフォームを同時に習得できる。
【００１１】
ここで嵌合手段とは、正面側部分と背面側部分とに分断した上体矯正部を再び容易に一体化が行える手段のすべての技術的手段を含んだ概念である。また、分断される上体矯正部の背面側部分の大きさは、この背面側部分を上体矯正部から取り外した際に、パートナーが踊り手と組した場合の社交ダンスの規定のフォームをとれる範囲以上の大きさを有していれば、特に限定するものではない。
【００１２】
さらに、本発明のうち請求項５記載の発明のように、前記上体矯正部は、踊り手の左右の上腕部をパートナーと組する場合を想定した規定の位置に保持することが可能な上腕部保持手段が設けてあるので、上体矯正部により踊り手の手の位置を規定の位置に保持するとともに、この踊り手の左右の上腕部のおいてもそれぞれ規定の位置に保持することができるので、踊り手又はパートナーが一層社交ダンスの正しいフォーム習得を行うことが可能となる。
ここで上腕部保持手段とは、例えば、上体矯正部の踊り手の左右の上腕部を支持可能な樋状のアームを上体矯正部の左右に設置したものや、上体矯正部の一端に踊り手の上体を保持可能な保持具を設け、この保持具の左右に樋状のアームを備えたものなどが挙げられ、踊り手の左右の上腕部をパートナーと組する場合を想定した規定の位置に保持することが可能な技術的手段のすべてを含んだ概念である。また、上腕部保持手段は上体矯正部と一体的に形成してあってもよいし、
あるいは、前記上体矯正部において着脱自在に備えてあってもよい。
【００１３】
【発明の実施の形態】
以下、図面に基づいて本発明の実施形態を説明する。
本発明の第１実施形態の社交ダンス用フォーム矯正具は、図１に示すように、踊り手１０の腰ベルト１３にフック金具６を介して設置可能なリング状部位２を有する上体矯正部１と、この上体矯正部１の周壁１４において横方向外側に延在し且つ先端部が上方に屈曲する着脱可能なリードアーム３と、前記上体矯正部１の周壁１４右側において横方向外側に突出する着脱自在なサポートアーム４と、から構成するものである。
尚、本実施形態では、実施の一例として本矯正具を男性が使用する場合を想定している。
【００１４】
まず、上体矯正部１の構成を説明すると、この上体矯正部１は、合成樹脂素材で形成した軽量で且つ周壁１４の肉厚が５ｍｍ厚のリング状部位２を保有しており、さらに、前記リング状部位２の周壁１４の一端部には、下方に垂下する支持板５が設けてある。また、支持板５の下端部には下向きに口が開いたフック金具６が固着してあり、このフック金具６は、踊り手１０の腰ベルト１３の上方側に前記口を差込んで引っ掛けることで、上体矯正部１を踊り手１０の上体１１正面側に保持できる。
【００１５】
そしてリードアーム３は、アルミニウム合金製のパイプ材により形成するもので、このリードアーム３の基端側部分が前記上体矯正部１の周壁１４において、横方向外側に突出しているとともに、この基端側部分の先端部で上方側に折れ曲がっており、これにより、前記リードアーム３は、くの字型に屈曲した形態をなすものである。一方、サポートアーム４は、上体矯正部１の周壁１４から横方向外側に突出する約２０ｃｍの長さに形成されたアルミニウム合金製のパイプ材により構成されている。
【００１６】
さらに、各アーム３、４の基端側部分の基端側先端部にはネジ部（図示省略）が備えてあり、また、前記上体矯正部１の周壁１４における支持板５を基準とした左右９０°に間隔をあけた２箇所には、各アーム３、４のネジ部にそれぞれ対応する螺合穴（図示省略）が設けてあるので、各アーム３、４を自在に着脱できることは勿論、例えば女性が使用する場合には、リードアーム３とサポートアーム４とを上記形態のものと逆の位置に取付ければ、男性が使用する場合と同様に使用できることとなる。
尚、前記サポートアーム４は、かならずしも上体矯正部１に取付けなくてもよいが、踊り手１０が右手を添える姿勢を一層効率よく習得できるのは勿論、本矯正具をしっかりと保持できるので、前記上体矯正部１に取付けておくことが望ましい。
【００１７】
次に、本実施形態の矯正具の実際の使用を説明する。
尚、この場合においても男性が本矯正具を使用する場合を説明するものである。
【００１８】
まず、踊り手１０の腰ベルト１３上方側に上体矯正部１の支持板５のフック金具６を引っ掛け、これにより、踊り手１０の上体１１正面側に、前記上体矯正部１のリング状部位２が該踊り手１０の鳩尾部分に当たるように位置決めして本矯正具の踊り手１０への取付けを行う。次いで、前記上体矯正部１に取付けたリードアーム３の上端部を踊り手１０が左手で掴み、一方、踊り手１０の右手は、サポートアーム４の下方側に右腕を差し入れるとともに、前記上体矯正部１のリング状部位２の背面側位置において、右腕を回り込ませた形で踊り手１０の右手を軽くリング状部位２の背面位置Ｇに添える。
【００１９】
さらに、左手の位置を踊り手１０の望む位置に調節したい場合には、前記リードアーム３の基端部分に設けてある調整部７によって、このリードアーム３の基端部の長さを多段階的に調節できるので、踊り手１０の左手の位置Ａを社交ダンスの基本姿勢をとる際の理想の姿勢とされる踊り手１０の目線位置Ａにおいて確実に保持できることとなる。
【００２０】
また図２は、本発明の第２実施形態を示しており、本実施形態の矯正具には、踊り手１０の頭部１２を社交ダンスの際に適切な位置に保持できるヘッドアーム８を備えたものである。
そして、このヘッドアーム８は、上下に延設するアルミニウム合金製のパイプ材の上端部に、踊り手１０の顎を乗せることが可能な柔らかなウレタン樹脂素材からなるＵ字状の受部２３を固着してあり、また、前記パイプ材の下端部にはネジ部（図示省略）が設けてある。一方、上体矯正部１を構成しているリング状部位２の周壁１４上端部のうち、支持板５が備わる箇所と対応した位置には、螺合穴（図示省略）が設けてあり、この螺合穴にヘッドアーム８のネジ部を螺入することで、前記ヘッドアーム８が上体矯正部１に対して着脱可能であり且つ強固な状態で取付けられる。
【００２１】
さらに、図３は、本発明の第３実施形態を示しており、これは、上体矯正部１を構成しているリング状部位２を正面側と背面側において半円ずつに分離し、各半円状部材の切断端部同士に嵌合部９と被嵌合部１７を設けてあることで、必要に応じて容易にリング状部位２の背面側部分１８の着脱を可能に構成したものである。
このように形成することで、実際に踊り手１０がパートナー１５と社交ダンスを踊る場合においても、リング状部位２の背面側部分１８のみを取り外せば、リング状部位２の内周空間が開放して、この開放部分にパートナー１５の上体１６を保持することが可能となり、踊り手１０は一層実践的な環境で社交ダンスのフォームの習得を行えるようになる。
【００２２】
そして、図４と図５は、本発明の第４実施形態を示しており、これは、上体矯正部１の一端側に、合成樹脂素材で形成し且つ踊り手１０の上体１１腰部を保持可能なＵ字状をなす上腕部保持部材１９が設けてあり、さらに、この上腕部保持部材１９の外周側の左右位置には、それそれが略水平方向外側に突出する２本の樋状アーム２０，２０がビス止めにより着脱自在に備えてある。
このように形成すると、前記各樋状アーム２０，２０の上に踊り手１０の左右の上腕部２１，２２が載置され、さらに、前記リードアーム３とリング状部位２の背面位置Ｇとにそれぞれ保持されている左右の手と相俟って、一層確実に社交ダンスのフォームを習得することが可能となる。
【００２３】
【発明の効果】
本発明によれば、社交ダンスを行う際のフォームの習得がトータル的に且つ効率よく行えることになる。
【図面の簡単な説明】
【図１】  本発明の第１実施形態の社交ダンス用フォーム矯正具の実際の使用を示す説明図である。
【図２】  本発明の第２実施形態の社交ダンス用フォーム矯正具の実際の使用を示す説明図である。
【図３】  本発明の第３実施形態の社交ダンス用フォーム矯正具の実際の使用を示す説明図である。
【図４】  本発明の第４実施形態の社交ダンス用フォーム矯正具の実際の使用を示す説明図である。
【図５】  本発明の第４実施形態の社交ダンス用フォーム矯正具の平面図である。
【符号の説明】
１  上体矯正部
３  リードアーム（ハンド保持部）
６、１３  フック金具、腰ベルト（支持手段）
８  ヘッドアーム（ヘッド保持部）
９、１７  嵌合部、被嵌合部（嵌合手段）
１０  踊り手
１１、１６  上体
１２  頭部
１５  パートナー
１８  背面側部分
１９，２０  上腕部保持部材、樋状アーム（上腕部保持手段）
２１，２２  上腕部
Ａ    位置
Ｇ    背面位置
【図１】
0003796620.tif 000002
【図２】
0003796620.tif 000003
【図３】
0003796620.tif 000004
【図４】
0003796620.tif 000005
【図５】
0003796620.tif 000006